(57)【要約】【課題】左右いずれかに偏った脳活動を的確に捉えることができる脳活動解析方法および脳活動解析装置を提供する。【解決手段】計測手段１１は、脳磁場を計測する。解析手段１２は、計測手段１１で計測された脳磁場のデータに基づいて脳活動の強度分布データを求めるとともに、求められた脳活動の強度分布データに基づいて、当該強度分布データから脳の左右に均等に出現しているデータを除去する。この脳活動解析装置１によれば、強度分布データから脳の左右に均等に出現しているデータを除去するので、左右いずれかに偏った脳活動を的確に捉えることができる。【選択図】図１
2008307141.tif 000002
【特許請求の範囲】
【請求項１】
脳磁場の計測結果に基づいて脳活動の解析を行う脳活動解析方法において、
脳磁場を計測するステップと、
計測された前記脳磁場のデータに基づいて脳活動の強度分布データを求めるステップと、求められた前記脳活動の強度分布データに基づいて、当該強度分布データから脳の左右に均等に出現しているデータを除去するステップと、
を備えることを特徴とする脳活動解析方法。
【請求項２】
前記データを除去するステップで得られた強度分布データを表示するステップを備えることを特徴とする脳活動解析方法。
【請求項３】
前記強度分布データを表示するステップでは、脳の解剖学的情報と当該分布データとを重ね合わせて表示することを特徴とする請求項２に記載の脳活動解析方法。
【請求項４】
脳磁場の計測結果に基づいて脳活動の解析を行う脳活動解析装置において、
脳磁場を計測する計測手段と、
計測された脳磁場のデータに基づいて脳活動の強度分布データを求めるとともに、求められた脳活動の強度分布データに基づいて、当該強度分布データから脳の左右に均等に出現しているデータを除去する解析手段と、
を備えることを特徴とする脳活動解析装置。
【発明の詳細な説明】
【技術分野】
【０００１】
本発明は、脳磁場の計測結果に基づいて脳活動の解析を行う脳活動解析方法および脳活動解析装置に関する。
【背景技術】
【０００２】
脳活動の様子を脳磁場の計測結果に基づいて解析し、脳活動の強度を領域の分布として表示する手法が知られている。この手法では、例えば、空間フィルタ法がデータの解析技法として用いられ、これにより脳内活動の強度を２次元的あるいは３次元的に把握することができる。通常、
（１）脳磁場の計測
（２）空間フィルタ法等による脳磁場の計測データの解析
（３）脳内の全部あるいは一部分の領域における脳活動の表示
（４）脳活動の表示と解剖学的情報（例えば、ＭＲＩ）との重ね合わせ表示
（５）重ね合わせ表示を参照することによる、脳活動の診断
という手順で、脳活動の解析、診断を行っている。
【０００３】
【特許文献１】特開２００６−１２２０８６号公報
【発明の開示】
【発明が解決しようとする課題】
【０００４】
従来の臨床診断では、例えば、虚血脳における除波脳活動源など、解析対象となるのは病的な現象のため、左脳あるいは右脳のうちどちらかに脳活動が偏っていることが多い。しかし実際の脳活動は、左右どちらかに偏った脳活動だけでなく、それ以外の、通常、脳の左右広範囲に渡る背景脳活動を含んでおり、解析対象となる脳活動源が埋もれて不明瞭となる。従来の解析装置では、このような背景脳活動も解析対象となる脳活動と同時に表示されるため、対象とする脳活動を明瞭に捉えることができず、脳活動の解析、診断に支障が生じる可能性がある。
【０００５】
本発明の目的は、左右いずれかに偏った脳活動を的確に捉えることができる脳活動解析方法および脳活動解析装置を提供することにある。
【課題を解決するための手段】
【０００６】
本発明の脳活動解析方法は、脳磁場の計測結果に基づいて脳活動の解析を行う脳活動解析方法において、脳磁場を計測するステップと、計測された前記脳磁場のデータに基づいて脳活動の強度分布データを求めるステップと、求められた前記脳活動の強度分布データに基づいて、当該強度分布データから脳の左右に均等に出現しているデータを除去するステップと、を備えることを特徴とする。
この脳活動解析方法によれば、強度分布データから脳の左右に均等に出現しているデータを除去するので、左右いずれかに偏った脳活動を的確に捉えることができる。
【０００７】
前記データを除去するステップで得られた強度分布データを表示するステップを備えてもよい。
【０００８】
前記強度分布データを表示するステップでは、脳の解剖学的情報と当該分布データとを重ね合わせて表示してもよい。
【０００９】
本発明の脳活動解析装置は、脳磁場の計測結果に基づいて脳活動の解析を行う脳活動解析装置において、脳磁場を計測する計測手段と、計測された前記脳磁場のデータに基づいて脳活動の強度分布データを求めるとともに、求められた前記脳活動の強度分布データに基づいて、当該強度分布データから脳の左右に均等に出現しているデータを除去する解析手段と、を備えることを特徴とする。
この脳活動解析装置によれば、強度分布データから脳の左右に均等に出現しているデータを除去するので、左右いずれかに偏った脳活動を的確に捉えることができる。
【発明の効果】
【００１０】
本発明の脳活動解析方法によれば、強度分布データから脳の左右に均等に出現しているデータを除去するので、左右いずれかに偏った脳活動を的確に捉えることができる。
【００１１】
本発明の脳活動解析装置によれば、強度分布データから脳の左右に均等に出現しているデータを除去するので、左右いずれかに偏った脳活動を的確に捉えることができる。
【発明を実施するための最良の形態】
【００１２】
以下、図１〜図３を参照して、本発明による脳活動解析装置の一実施形態について説明する。
【００１３】
図１（ａ）は、本実施形態の脳活動解析装置の構成を示すブロック図である。
【００１４】
図１（ａ）に示すように、本実施形態の脳活動解析装置１は、脳磁場を計測する計測手段１１と、計測手段１１により計測された脳磁場のデータに基づいて脳活動を解析する解析手段１２と、解析手段１２による解析結果を表示する表示モニタ１３とを備える。
【００１５】
図１（ｂ）は、脳活動解析装置１の動作を示すフローチャートである。
【００１６】
図１（ｂ）のステップＳ１では、計測手段１１により脳磁場の計測を行う。次に、ステップＳ２では、解析手段１２により、空間フィルタ法等を用いて、計測手段１１により計測された脳磁場のデータに基づいて脳活動の強度分布データを求める。次いで、ステップＳ３では、表示モニタ１３に解析手段１２による解析結果を表示する。
【００１７】
図２（ａ）は、表示モニタ１３の表示画像を例示する図である。図２（ａ）に示すように、解析手段１２により脳活動の強度分布が求められ、表示モニタ１３には、脳活動の強度が脳の領域ごとに表示色の濃淡として示される。図２（ａ）の例では、脳の一断面について、脳活動の強度分布が表示されている。中心線２１は、脳を均等に左右に分割する平面を示している。
【００１８】
次に、ステップＳ４では、解析手段１２により、表示されている脳活動の強度分布から、左右均等に出現する背景脳活動の強度分の除去を行い、表示モニタ１３の表示画像に反映させる。
【００１９】
図３（ａ）は、図２（ａ）の表示画像における直線２２上における脳活動の強度を示している。図３（ａ）において、Ｘ方向の直線２２は中心線２１が示す平面に垂直であり、原点（Ｘ＝０）は中心線２１上にある。ステップＳ４では、中心線２１に対して対象な位置の強度の差分を抽出する。具体的には、直線２２上の座標Ｘの強度Ａ（Ｘ）と座標−Ｘの強度Ａ（−Ｘ）とを比較し、小さい方の強度をＸminとする。そして、図３（ｂ）に示すように、直線２２上の座標Ｘの新たな強度Ｂ（Ｘ）を「強度Ａ（Ｘ）−Ｘmin」とし、座標−Ｘの新たな強度Ｂ（−Ｘ）を「強度Ａ（−Ｘ）−Ｘmin」とする。このような処理を解析領域の全体について実行することにより、左右均等に出現する背景脳活動の信号が除去され、左右の脳活動の強度差が抽出される。
【００２０】
図２（ｂ）は、背景脳活動の信号が除去された後の表示モニタ１３の表示画像を示している。このように、背景脳活動の信号を除去することで、脳活動の左右の偏差が明瞭に表示される。
【００２１】
次に、ステップＳ５では、表示モニタ１３上で、図２（ｂ）に対応する背景脳活動の信号が除去された後の表示画像と、解剖学的情報（例えば、ＭＲＩ）との重ね合わせ表示を実行し、処理を終了する。このような重ね合わせ表示を参照することにより、脳活動についての解析、診断を行うことができる。
【００２２】
以上のように、本実施形態の脳活動解析装置によれば、背景脳活動の信号を除去することにより、虚血脳における除波脳活動源など、左右いずれかに偏った脳活動を明瞭に捉えることができるので、診断の精度を高めることができる。
【００２３】
また、他の臨床画像装置、例えば、ＳＰＥＣＴ、ＰＥＴ、ＭＥＧによる解析画像との比較も容易なものとなる。例えば、ＳＰＥＣＴあるいはＰＥＴでは脳血流の測定結果との対比、ＭＥＧでは脳内活動の測定結果との対比を行うことができる。このため多角的な視点により診断が可能となり、この点でも診断の精度を向上させることができる。
【００２４】
以上説明したように、本発明の脳活動解析方法および脳活動解析装置によれば、強度分布データから脳の左右に均等に出現しているデータを除去するので、左右いずれかに偏った脳活動を的確に捉えることができる。
【００２５】
本発明の適用範囲は上記実施形態に限定されることはない。本発明は、脳磁場の計測結果に基づいて脳活動の解析を行う脳活動解析方法および脳活動解析装置に対し、広く適用することができる。
【図面の簡単な説明】
【００２６】
【図１】一実施形態の脳活動解析装置を示す図であり、（ａ）は、本実施形態の脳活動解析装置の構成を示すブロック図、（ｂ）は、脳活動解析装置の動作を示すフローチャート。
【図２】表示モニタの表示画像を例示する図であり、（ａ）は、背景脳活動の信号を除去する前の表示画像を例示する図、（ｂ）は、背景脳活動の信号を除去した後の表示画像を例示する図。
【図３】表示画像に表示される脳活動の強度を示す図であり、（ａ）は、背景脳活動の信号を除去する前の強度を例示する図、（ｂ）は、背景脳活動の信号を除去した後の強度を例示する図。
【符号の説明】
【００２７】
１      脳活動解析装置
１１    計測手段
１２    解析手段
【図１】
2008307141.tif 000003
【図２】
2008307141.tif 000004
【図３】
2008307141.tif 000005